(57)【要約】【課題】折り曲げ可能なタッチパネル型の操作パネル装置１０１が折り曲げられてチルトされている場合においても操作画面の視認性を維持する。【解決手段】画像形成装置１００は、画像形成装置１００に対する操作を受け付ける折り曲げ可能な操作部３００と、操作部３００の操作面の画像形成装置１００に対する傾きを可変にするチルト機構３１０と、操作部３００のチルト角を検出するチルト角検出部３２０と、操作部３００の傾き（＝チルト角）に応じて画像の傾きを変更するための制御データを格納する記憶部３４０と、画像形成装置１００を制御する制御部２１０とを備える。制御部２１０は、操作部３００における画像の表示を制御するパネル制御部２１６を含む。パネル制御部２１６は、その機能の一部として、倍率変更３３１と、傾き修正３３２と、縦横変更３３３とを含む。【選択図】図３
2020205572.tif 000002
【特許請求の範囲】
【請求項１】
画像形成装置であって、
第１表示領域と第２表示領域とに折り曲げ可能な表示面を有する表示パネルと、
前記画像形成装置に対する前記表示パネルの角度を変更するチルト機構と、
前記角度を検出する検出部と、
前記表示面における表示内容を変更する制御部とを備え、
前記制御部は、前記表示面が折り曲げられた表示パネルの前記画像形成装置に対する傾きに応じて、前記第２表示領域に表示される画像を傾けて表示する、画像形成装置。
【請求項２】
前記角度と、前記角度に応じて定められる前記画像の傾きとを規定する設定情報を格納するためのメモリをさらに備え、
前記表示パネルは、前記第１表示領域が前記画像形成装置の正面を向くように前記画像形成装置に取り付けられており、
折り曲げられた表示パネルの前記角度が変更されることにより前記第２表示領域が前記画像形成装置の正面を向かなくなると、前記制御部は、前記設定情報に基づいて、前記第２表示領域に示される画像の傾きを補正する、請求項１に記載の画像形成装置。
【請求項３】
前記検出部は、線形に傾斜を検出するセンサーを含み、
前記第２表示領域に画像を傾けて表示することは、前記センサーの出力信号に応じて規定される角度に応じて、当該画像を傾けて表示することを含む、請求項１に記載の画像形成装置。
【請求項４】
前記画像を傾けて表示することは、規定された倍率に応じて前記画像の大きさを変更することをさらに含む、請求項２または３に記載の画像形成装置。
【請求項５】
前記画像の大きさを変更することは、予め規定された縮小倍率を超えない範囲で前記画像の大きさを縮小することを含む、請求項４に記載の画像形成装置。
【請求項６】
前記制御部は、前記第２表示領域に対する画面スクロール操作に応じて、前記画像を移動して前記第２表示領域に表示する、請求項５に記載の画像形成装置。
【請求項７】
前記制御部は、前記表示パネルの前記角度が予め規定された角度を超えたことに基づいて、前記第２表示領域において左右に表示される各画像の配列を上下に切り替えて表示する、請求項３に記載の画像形成装置。
【請求項８】
前記切り替えて表示することは、各前記画像を縮小して表示することを含む、請求項７に記載の画像形成装置。
【請求項９】
人感センサーをさらに備え、
前記画像を傾けて表示することは、
前記表示パネルの近傍にユーザーがいる場合に前記画像を傾けて表示することと、
前記表示パネルの近傍にユーザーがいない場合に、前記画像を傾けずに表示することとを含む、請求項１〜８のいずれかに記載の画像形成装置。
【請求項１０】
前記制御部は、
前記第１表示領域と前記第２表示領域との境界を示す線を前記表示パネルに表示し、
前記表示パネルの前記角度が予め規定された角度を超えた場合に、前記線の位置を変更する、請求項１〜９のいずれかに記載の画像形成装置。
【請求項１１】
画像形成装置を制御するためのプログラムであって、前記プログラムは前記画像形成装置に、
第１表示領域と第２表示領域とに折り曲げ可能な表示面を有する表示パネルに画像を表示するステップと、
前記画像形成装置に対する前記表示パネルの角度を検出するステップと、
前記表示面における表示内容を変更するステップとを実行させ、
前記変更するステップは、前記表示面が折り曲げられた表示パネルの前記画像形成装置に対する傾きに応じて、前記第２表示領域に表示される画像を傾けて表示するステップを含む、プログラム。
【請求項１２】
前記プログラムは前記画像形成装置に、前記角度と、前記角度に応じて定められる前記画像の傾きとを規定する設定情報にアクセスするステップをさらに実行させ、
前記表示パネルは、前記第１表示領域が前記画像形成装置の正面を向くように前記画像形成装置に取り付けられており、
前記変更するステップは、折り曲げられた表示パネルの前記角度が変更されることにより前記第２表示領域が前記画像形成装置の正面を向かなくなると、前記設定情報に基づいて、前記第２表示領域に示される画像の傾きを補正することを含む、請求項１１に記載のプログラム。
【請求項１３】
前記検出するステップは、線形に傾斜を検出することを含み、
前記第２表示領域に画像を傾けて表示することは、前記線形に傾斜を検出した結果に応じて規定される角度に応じて、当該画像を傾けて表示することを含む、請求項１１に記載のプログラム。
【請求項１４】
前記画像を傾けて表示することは、規定された倍率に応じて前記画像の大きさを変更することをさらに含む、請求項１２または１３に記載のプログラム。
【請求項１５】
前記画像の大きさを変更することは、予め規定された縮小倍率を超えない範囲で前記画像の大きさを縮小することを含む、請求項１４に記載のプログラム。
【請求項１６】
前記変更するステップは、前記第２表示領域に対する画面スクロール操作に応じて、前記画像を移動して前記第２表示領域に表示することを含む、請求項１５に記載のプログラム。
【請求項１７】
前記変更するステップは、前記表示パネルの前記角度が予め規定された角度を超えたことに基づいて、前記第２表示領域において左右に表示される各画像の配列を上下に切り替えて表示することを含む、請求項１３に記載のプログラム。
【請求項１８】
前記切り替えて表示することは、各前記画像を縮小して表示することを含む、請求項１７に記載のプログラム。
【請求項１９】
前記プログラムは前記画像形成装置に、前記画像形成装置の近傍に人の存在を検知するステップをさらに実行させ、
前記画像を傾けて表示することは、
前記表示パネルの近傍にユーザーがいる場合に前記画像を傾けて表示することと、
前記表示パネルの近傍にユーザーがいない場合に、前記画像を傾けずに表示することとを含む、請求項１１〜１８のいずれかに記載のプログラム。
【請求項２０】
前記変更するステップは、
前記第１表示領域と前記第２表示領域との境界を示す線を前記表示パネルに表示することと、
前記表示パネルの前記角度が予め規定された角度を超えた場合に、前記線の位置を変更することとを含む、請求項１１〜１９のいずれかに記載のプログラム。
【発明の詳細な説明】
【技術分野】
【０００１】
本開示は画像形成装置の制御に関し、より特定的には、折り曲げ可能な操作パネル装置を備える画像形成装置の制御に関する。
【背景技術】
【０００２】
画像形成装置のユニバーサルデザインの観点から、操作パネルの水平面に対する傾き角度（チルト角度）がフレキシブル化された画像形成装置が知られている。例えば、特開２０１３−０３８６９０号公報（特許文献１）は、「操作パネルの角度調整が可能で用紙が取り出し易くかつ前面における操作パネルの突出がない胴内排紙型の画像形成装置」を開示している（段落０００７参照）。
【先行技術文献】
【特許文献】
【０００３】
【特許文献１】特開２０１３−０３８６９０号公報
【発明の概要】
【発明が解決しようとする課題】
【０００４】
操作パネルを折り曲げて第１表示領域および第２表示領域が形成された場合を想定する。第１表示領域が画像形成装置の正面を向いている状態でチルト機構を用いて当該操作パネルの傾きを変更すると、第２表示領域の向きも変わる。その結果、第２表示領域が見にくくなり操作性が低下する可能性がある。したがって、操作パネルが折り曲げられた状態で当該操作パネルが傾いていても操作性の低下が防止される技術が必要とされている。
【０００５】
本開示は上述のような背景に鑑みてなされたものであって、ある局面に従うと、操作パネルが折り曲げられた状態で当該操作パネルが傾いていても操作性の低下が防止される技術が開示される。
【課題を解決するための手段】
【０００６】
ある実施の形態に従うと、画像形成装置が提供される。画像形成装置は、第１表示領域と第２表示領域とに折り曲げ可能な表示面を有する表示パネルと、上記画像形成装置に対する上記表示パネルの角度を変更するチルト機構と、上記角度を検出する検出部と、上記表示面における表示内容を変更する制御部とを備える。上記制御部は、上記表示面が折り曲げられた表示パネルの上記画像形成装置に対する傾きに応じて、上記第２表示領域に表示される画像を傾けて表示する。
【０００７】
ある局面に従うと、上記画像形成装置は、上記角度と、上記角度に応じて定められる上記画像の傾きとを規定する設定情報を格納するためのメモリをさらに備える。上記表示パネルは、上記第１表示領域が上記画像形成装置の正面を向くように上記画像形成装置に取り付けられている。折り曲げられた表示パネルの上記角度が変更されることにより上記第２表示領域が上記画像形成装置の正面を向かなくなると、上記制御部は、上記設定情報に基づいて、上記第２表示領域に示される画像の傾きを補正する。
【０００８】
ある局面に従う画像形成装置において、上記検出部は、線形に傾斜を検出するセンサーを含む。上記第２表示領域に画像を傾けて表示することは、上記センサーの出力信号に応じて規定される角度に応じて、当該画像を傾けて表示することを含む。
【０００９】
ある局面に従う画像形成装置において、上記画像を傾けて表示することは、規定された倍率に応じて上記画像の大きさを変更することをさらに含む。
【００１０】
ある局面に従う画像形成装置において、上記画像の大きさを変更することは、予め規定された縮小倍率を超えない範囲で上記画像の大きさを縮小することを含む。
【００１１】
ある局面に従う画像形成装置において、上記制御部は、上記第２表示領域に対する画面スクロール操作に応じて、上記画像を移動して上記第２表示領域に表示する。
【００１２】
ある局面に従う画像形成装置において、上記制御部は、上記表示パネルの上記角度が予め規定された角度を超えたことに基づいて、上記第２表示領域において左右に表示される各画像の配列を上下に切り替えて表示する。
【００１３】
ある局面に従う画像形成装置において、上記切り替えて表示することは、各上記画像を縮小して表示することを含む。
【００１４】
ある局面に従うと、画像形成装置は、人感センサーをさらに備える。上記画像を傾けて表示することは、上記表示パネルの近傍にユーザーがいる場合に上記画像を傾けて表示することと、上記表示パネルの近傍にユーザーがいない場合に、上記画像を傾けずに表示することとを含む。
【００１５】
ある局面に従うと、上記制御部は、上記第１表示領域と上記第２表示領域との境界を示す線を上記表示パネルに表示し、上記表示パネルの上記角度が予め規定された角度を超えた場合に、上記線の位置を変更する。
【００１６】
他の実施の形態に従うと、画像形成装置を制御するためのプログラムが提供される。このプログラムは上記画像形成装置に、第１表示領域と第２表示領域とに折り曲げ可能な表示面を有する表示パネルに画像を表示するステップと、上記画像形成装置に対する上記表示パネルの角度を検出するステップと、上記表示面における表示内容を変更するステップとを実行させる。上記変更するステップは、上記表示面が折り曲げられた表示パネルの上記画像形成装置に対する傾きに応じて、上記第２表示領域に表示される画像を傾けて表示するステップを含む。
【００１７】
ある局面に従うと、上記プログラムは上記画像形成装置に、上記角度と、上記角度に応じて定められる上記画像の傾きとを規定する設定情報にアクセスするステップをさらに実行させる。上記表示パネルは、上記第１表示領域が上記画像形成装置の正面を向くように上記画像形成装置に取り付けられている。上記変更するステップは、折り曲げられた表示パネルの上記角度が変更されることにより上記第２表示領域が上記画像形成装置の正面を向かなくなると、上記設定情報に基づいて、上記第２表示領域に示される画像の傾きを補正することを含む。
【００１８】
ある局面に従うと、上記検出するステップは、線形に傾斜を検出することを含む。上記第２表示領域に画像を傾けて表示することは、上記線形に傾斜を検出した結果に応じて規定される角度に応じて、当該画像を傾けて表示することを含む。
【００１９】
ある局面に従うと、上記画像を傾けて表示することは、規定された倍率に応じて上記画像の大きさを変更することをさらに含む。
【００２０】
ある局面に従うと、上記画像の大きさを変更することは、予め規定された縮小倍率を超えない範囲で上記画像の大きさを縮小することを含む。
【００２１】
ある局面に従うと、上記変更するステップは、上記第２表示領域に対する画面スクロール操作に応じて、上記画像を移動して上記第２表示領域に表示することを含む。
【００２２】
ある局面に従うと、上記変更するステップは、上記表示パネルの上記角度が予め規定された角度を超えたことに基づいて、上記第２表示領域において左右に表示される各画像の配列を上下に切り替えて表示することを含む。
【００２３】
ある局面に従うと、上記切り替えて表示することは、各上記画像を縮小して表示することを含む。
【００２４】
ある局面に従うと、上記プログラムは上記画像形成装置に、上記画像形成装置の近傍に人の存在を検知するステップをさらに実行させる。上記画像を傾けて表示することは、上記表示パネルの近傍にユーザーがいる場合に上記画像を傾けて表示することと、上記表示パネルの近傍にユーザーがいない場合に、上記画像を傾けずに表示することとを含む。
【００２５】
ある局面に従うと、上記変更するステップは、上記第１表示領域と上記第２表示領域との境界を示す線を上記表示パネルに表示することと、上記表示パネルの上記角度が予め規定された角度を超えた場合に、上記線の位置を変更することとを含む。
【発明の効果】
【００２６】
ある実施の形態に従うと、操作パネルが折り曲げられた状態で当該操作パネルが傾いていても操作性の低下が防止され得る。
【００２７】
この発明の上記および他の目的、特徴、局面および利点は、添付の図面と関連して理解されるこの発明に関する次の詳細な説明から明らかとなるであろう。
【図面の簡単な説明】
【００２８】
【図１】画像形成装置１００の外観を表わす図である。
【図２】画像形成装置１００のハードウェア構成を表わすブロック図である。
【図３】画像形成装置１００が備える機能の構成を表わすブロック図である。
【図４】操作パネル装置１０１の側面方向から画像形成装置１００を見た状態を表わす図である。
【図５】操作パネル装置１０１の側面方向から画像形成装置１００を見た状態で操作画面の一部が折り曲げられた状態を表わす図である。
【図６】ある実施の形態において、操作パネル装置１０１が折り曲げられたときの表示の一例を示す図である。
【図７】折り曲げられた操作パネル装置１０１がチルトされている状態で画面がそのまま領域６２０に表示される態様を表わす図である。
【図８】折り曲げられた操作パネル装置１０１がチルトされている状態で画面の向きが水平となるように調整された状態で領域６２０に表示される態様を表わす図である。
【図９】画像形成装置１００のＣＰＵ２１１が実行する処理の一部を表わすフローチャートである。
【図１０】ＲＯＭ２１２におけるデータの格納の一態様を概念的に表わす図である。
【図１１】操作パネル装置１０１のチルトの状態に応じて表示される画像の位置態様を表わす図である。
【図１２】画像形成装置１００のＣＰＵ２１１が実行する処理の一部を表わすフローチャートである。
【図１３】他の局面に従うＲＯＭ２１２におけるデータの格納の一態様を概念的に表わす図である。
【図１４】さらに他の局面に従う画像形成装置１００のＲＯＭ２１２におけるデータの格納の一態様を概念的に表わす図である。
【図１５】さらに他の局面において操作パネル装置１０１に表示される画像の一態様を表わす図である。
【図１６】さらに他の局面に従う画像形成装置１００のＲＯＭ２１２におけるデータの格納の一態様を概念的に表わす図である。
【図１７】領域６２０に表示される画像の場所が可変であることを表わす図である。
【図１８】ＲＯＭ２１２におけるデータの格納の一態様を概念的に表わす図である。
【図１９】操作パネル装置１０１における画面の表示態様の変更の一例を表わす図である。
【図２０】操作パネル装置１０１が縦横を変更した状態で画像を表示する一例を表わす図である。
【図２１】さらに他の局面に従う画像形成装置２１００の構成の概要を表わす図である。
【図２２】画像形成装置２１００が実行する処理の一部を表わすフローチャートである。
【図２３】操作パネル装置１０１が折り曲げられている場合において領域６２０における画像の表示態様を表わす図である。
【図２４】さらに他の局面に従う画像形成装置１００が実行する処理の一部を表わすフローチャートである。
【図２５】ＲＯＭ２１２における設定内容の格納の一態様を概念的に表わす図である。
【図２６】操作パネル装置１０１が初期画面を表示している場合の画面の推移を表わす図である。
【図２７】操作パネル装置１０１がジャム全画面表示である場合の画面の推移を表わす図である。
【図２８】操作パネル装置１０１がトラブル全画面表示である場合の画面の推移を表わす図である。
【図２９】操作パネル装置１０１がサービスの全画面を表示している場合の画面の推移を表わす図である。
【図３０】ある局面に従う画像形成装置１００のＣＰＵ２１１が実行する処理の一部を表わすフローチャートである。
【発明を実施するための形態】
【００２９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３０】
図１を参照して、本実施の形態に係る画像形成装置１００について説明する。図１は、画像形成装置１００の外観を表わす図である。ある局面において、画像形成装置１００は、所謂ＭＦＰ（Multi  Function  Peripheral）と称される複合機として実現される。ＭＦＰは、典型例として、スキャナ機能、コピー機能、ファクシミリ機能、ネットワーク機能、ボックス機能といった複数の機能を有する。画像形成装置１００は、操作パネル装置１０１と、スキャナー部１０２と、フィーダ１０４と、プリントエンジン１０６と、トレー１０８と、複数の給紙部１０９とを備える。
【００３１】
操作パネル装置１０１は、画像形成装置１００の本体の上面の前面側（すなわち、ユーザーが操作のために画像形成装置１００に対向する側）に配置され、画像形成装置１００への操作を受け付ける。操作パネル装置１０１は、後述するように、ユーザーからの各種の指示、または、数字、文字、記号その他の入力操作を受け付けるための複数のキーと、表示装置とを含む。表示装置は、タッチパネルを含む。タッチパネルは、ユーザー操作に応答した各種情報および／または各種操作を受け付けるためのメニュー画面等をユーザーに対して表示し、また、ユーザーによってタッチ操作された位置を検出し、当該取得した位置に応じた入力情報を取得する。
【００３２】
ある局面において、操作パネル装置１０１は折り曲げ可能なタッチパネル型のデバイスとして実現される。操作パネル装置１０１は、例えば、有機ＥＬ（Electro  Luminescence）パネルとして実現される。操作パネル装置１０１は、画像形成装置１００の筐体の正面を向くようにチルト可能な状態で配置される。
【００３３】
他の局面において、タッチパネル型の入力装置を搭載する操作パネル装置１０１は、ユーザーが画像形成装置１００の前に立った状態で操作しやすいように、その操作面が斜めになるように、傾斜が与えられて、画像形成装置１００の本体に取り付けられる。なお、他の局面において、操作パネル装置１０１は、着脱可能であってもよい。
【００３４】
スキャナー部１０２は、原稿を光学的に読み取って画像データを取得する。フィーダ１０４は、画像形成装置１００の本体の上面に配置され、スキャナー部１０２に原稿を送る。
【００３５】
プリントエンジン１０６は、取得された画像データに基づいて、用紙その他の媒体の上に画像を印刷する。トレー１０８は、画像形成装置１００の中央部に配置され、プリントエンジン１０６によって画像形成されて排出される用紙を受ける。複数の給紙部１０９は、画像形成装置１００の本体の下部に配置され、プリントエンジン１０６に用紙を供給する。
【００３６】
図２を参照して、画像形成装置１００を実現する詳細な構成の一例について説明する。図２は、画像形成装置１００のハードウェア構成を表わすブロック図である。画像形成装置１００は、主たる構成要素として、制御部２１０と、画像読取装置２２０と、固定記憶装置２３０と、短距離無線Ｉ／Ｆ（Interface）２４０と、画像出力装置２５０と、プリンターコントローラー２６０と、ネットワークＩ／Ｆ２７０と、無線Ｉ／Ｆ２８０とを備える。各構成要素は、それぞれ、バスに接続されている。
【００３７】
制御部２１０は、ＣＰＵ（Central  Processing  Unit）２１１と、ＲＯＭ（Read  Only  Memory）２１２と、ＳＲＡＭ（Static  Random  Access  Memory）２１３と、ＮＶＲＡＭ（Non-Volatile  Random  Access  Memory）２１４と、時計ＩＣ（Integrated  Circuit）２１５と、パネル制御部２１６と、ＯＣＲ（Optical  Code  Reader）制御部２１７とを含む。
【００３８】
制御部２１０は、画像形成装置１００を制御する。より詳しくは、ＣＰＵ２１１は、ＲＯＭ２１２、Ｓ−ＲＡＭ２１３、ＮＶ−ＲＡＭ２１４等に格納されている命令を実行し、画像形成装置１００に所定の動作を実現させる。ＲＯＭ２１２は、画像形成装置１００を制御するために予め準備されたデータおよび命令を保持している。
【００３９】
Ｓ−ＲＡＭ２１３は、キャッシュメモリーとして、ＣＰＵ２１１に頻繁にアクセスされるデータを保持する。
【００４０】
ＮＶＲＡＭ２１４は、フラッシュメモリーを含み、画像形成装置１００において電源が供給されていない場合もデータを保持する。
【００４１】
時計ＩＣ２１５は、画像形成装置１００における時間を計測する。
パネル制御部２１６は、操作パネル装置１０１に対するタッチ操作を検出し、タッチ操作に応じた信号をＣＰＵ２１１に出力する。
【００４２】
画像読取装置２２０は、スキャナー部１０２として、トレー１０８に載置された原稿を走査することにより当該原稿の画像データを取得する。
【００４３】
固定記憶装置２３０は、例えばハードディスクにより実現され、画像形成装置１００で生成されたデータあるいは画像形成装置１００が受信したデータを不揮発的に保持する。
【００４４】
画像出力装置２５０は、コピー機能あるいは印刷機能を実現する。画像形成装置１００の動作モードがコピーモードである場合、画像出力装置２５０は、画像読取装置２２０によって読み取られた画像を用紙その他の印刷媒体に形成する。他の局面において、画像形成装置１００の動作モードがプリントモードである場合、画像出力装置２５０は、画像形成装置１００に与えられたデータあるいは画像形成装置１００に格納されているデータに基づいて、画像を印刷媒体に形成する。
【００４５】
プリンターコントローラー２６０は、プリンターとしての画像出力装置２５０の動作を制御する。
【００４６】
ネットワークＩ／Ｆ２７０は、画像形成装置１００が接続されるＬＡＮ（Local  Area  Network）その他のネットワークを介して、他の情報通信装置（例えば、画像形成装置１００をプリンターとして使用するコンピューター装置）との通信を制御する。
【００４７】
無線Ｉ／Ｆ２８０は、ＷｉＦｉ（登録商標）、ブルートゥース（登録商標）、ＮＦＣ（Near  Field  Communication）等の無線通信規格により他の装置との通信を実現する。なお、無線通信規格は、上記の規格に限られない。
【００４８】
図３を参照して、画像形成装置１００によって実現される機能について説明する。図３は、画像形成装置１００が備える機能の構成を表わすブロック図である。画像形成装置１００は、操作部３００と、チルト機構３１０と、チルト角検出部３２０と、記憶部３４０と、制御部２１０とを備える。制御部２１０は、パネル制御部２１６を含む。パネル制御部２１６は、その機能の一部として、倍率変更３３１と、傾き修正３３２と、縦横変更３３３とを含む。
【００４９】
操作部３００は、画像形成装置１００に対する操作を受け付ける。操作部３００は、例えば、操作パネル装置１０１として実現される。操作部３００は、画像形成装置１００に固定されていなくてもよく、例えば、着脱可能であってもよい。また、ある局面において、操作部３００は、折りたたみ可能であってもよい。この場合、操作部３００は、例えば、有機ＥＬ等の柔軟性のある素材により構成される。
【００５０】
チルト機構３１０は、操作部３００の操作面（＝表示面）の画像形成装置１００に対する傾きを可変にする。例えば、チルト機構３１０は、画像形成装置の筐体の左右方向（＝水平方向）に平行に取り付けられた回転軸（図示しない）を含む。チルト機構３１０は、当該回転軸に対して回転可能に取り付けられており、操作部３００がチルト機構３１０に取り付けられることにより、操作部３００の操作面の位置は、画像形成装置１００の側面から上面に向かうように、可変となる。
【００５１】
チルト角検出部３２０は、チルト位置センサーとして、操作部３００のチルト角を検出する。チルト角は、操作部３００が画像形成装置１００の筐体の側面に平行な軸に対して何度傾いているかを検出する。ある局面において、チルト角検出部３２０は、傾き角度をリニアーに検出し得るセンサーとして実現される。
【００５２】
記憶部３４０は、画像形成装置１００に対する操作部３００の傾き（＝チルト角）に応じて画像の傾きを変更するための制御データを格納する。当該制御データは、例えば、操作部３００の傾きと画像の傾きとの対応を示すテーブルとして規定され得る。他の局面において、当該制御データは、操作部３００の傾きを示す信号に応じて予め規定された関係から当該画像の傾きが導出される構成が採用されてもよい。
【００５３】
パネル制御部２１６は、操作部３００に画像を表示するためのデータを生成し、操作部３００に当該データを送信する。操作部３００は、そのデータに応じた画面を表示する。より詳しくは、パネル制御部２１６は、チルト角検出部３２０により検出されたチルト角と、記憶部３４０に格納されているデータとに基づいて、倍率変更３３１、傾き修正３３２、および縦横変更３３３の各処理機能を実現する。ある局面において、パネル制御部２１６は、倍率変更３３１として、操作パネル装置１０１が折り曲げられることにより形成される二つの表示領域の内の一つの表示領域に表示される画像の倍率を変更する。変更される倍率（例えば、縮小倍率、拡大倍率）は、予め規定されている。
【００５４】
他の局面において、パネル制御部２１６は、傾き修正３３２として、操作パネル装置１０１が折り曲げられることにより形成される二つの表示領域の内の一つの表示領域に表示される画像の傾きを修正する。例えば、パネル制御部２１６は、操作パネル装置１０１の傾きに応じて予め規定された角度を参照して、当該画像の傾きを修正する。
【００５５】
他の局面において、パネル制御部２１６は、縦横変更３３３として、操作パネル装置１０１が折り曲げられることにより形成される二つの表示領域の内の一つの表示領域に表示される画像の縦横を変更する。例えば、当該一つの表示領域において横方向に表示されて視認される画像が横長に表示されている場合、パネル制御部２１６は、操作パネル装置１０１の傾きに応じて、当該画像を縦長に表示し得る。この場合、一部の画像が当該一つの表示領域に収まらない場合もあり得る。さらに他の局面において、パネル制御部２１６は、縦長に表示している画像が当該一つの表示領域に収まるように、一部の画像を縮小し得る。
【００５６】
図４および図５を参照して、操作パネル装置１０１のチルトについて説明する。図４は、操作パネル装置１０１の側面方向から画像形成装置１００を見た状態を表わす図である。図５は、操作パネル装置１０１の側面方向から画像形成装置１００を見た状態で操作画面の一部が折り曲げられた状態を表わす図である。
【００５７】
図４に示されるように、状態（Ａ）において、操作パネル装置１０１は、折り曲げられておらずチルトしていない（チルト角＝０度）。操作パネル装置１０１あるいは、チルト機構３１０の傾きが変えられると、状態（Ｂ）に示されるように、操作パネル装置１０１は、チルトされた状態となる。
【００５８】
図５に示されるように、状態（Ａ）において、操作パネル装置１０１がチルトされていない状態で操作パネル装置１０１の一部が折り曲げられると、表示画面の一部は、２方向を向くことになる。操作パネル装置１０１の一部が折り曲げられた状態でチルトされると、操作パネル装置１０１は、状態（Ｂ）に示されるようになる。操作画面も、チルト角度に応じて傾くことになる。この場合、操作パネル装置１０１のチルト角は、チルト角検出部３２０によって検出される。
【００５９】
図６を参照して、操作パネル装置１０１における画像の表示態様について説明する。図６は、ある実施の形態において、操作パネル装置１０１が折り曲げられたときの表示の一例を示す図である。ここでは、故障が画像形成装置１００の右側面部で発生しているものとし、折り曲げられる前の操作パネル装置１０１にはコピーの設定画面が表示されていたものとして説明する。
【００６０】
図６に示される一点鎖線Ｐ１は、ユーザーによる折り曲げ位置を示している。操作パネル１０の表示領域は、折り曲げ位置を境に、画像形成装置１００の正面方向に向いている領域６１０（第１表示領域、第１操作画面ともいう。）と、故障が発生している方向に向いている領域６２０（第２表示領域、第２操作画面ともいう。）とに分けられる。領域６１０は、折り曲げられる前の操作パネル装置１０１に表示されていたコピーの設定画面の一部を継続して表示する。一方、領域６２０は、折り曲げられる前の操作パネル装置１０１には表示されていなかった故障修理方法を示す画面を表示する。
【００６１】
操作パネル装置１０１の表示領域は、領域６１０と領域６２０とに分けられるため、コピーの設定画面の一部に対応する領域、すなわち、領域６１０と領域６２０とにまたがる領域に表示される画像６４０は、表示されなくなる。しかしながら、画像形成装置１００が故障から復帰した場合には、操作パネル装置１０１の分割表示が解除される。故障修理方法の画面が消去され、操作パネル装置１０１の表示領域は、その全面に、折り曲げられる前の操作パネル装置１０１に表示されていたコピーの設定画面を表示する。
【００６２】
図７および図８を参照して、操作パネル装置１０１における画像の表示態様について説明する。図７は、折り曲げられた操作パネル装置１０１がチルトされている状態で画面がそのまま領域６２０に表示される態様を表わす図である。図８は、折り曲げられた操作パネル装置１０１がチルトされている状態で画面の向きが水平となるように調整された状態で領域６２０に表示される態様を表わす図である。
【００６３】
図７に示されるように、操作パネル装置１０１が折り曲げられた状態でチルトされると、画面も当該チルト角に応じて傾いた状態で表示される。そのため、表示される内容によっては、ユーザーは当該内容を確認しにくくなる場合があり得る。これに対して、ある実施の形態に従うの形態に従う画像形成装置１００によれば、操作パネル装置１０１が折り曲げられた状態でチルトされても、画面は、チルト前の状態と同じように表示される。すなわち、操作パネル装置１０１の傾きに応じて当該画面も傾いて表示される。したがって、操作パネル装置１０１がチルトされた場合においても、当該画面の視認性が担保され得る。
【００６４】
［制御構造］
図９を参照して、画像形成装置１００の制御構造について説明する。図９は、画像形成装置１００のＣＰＵ２１１が実行する処理の一部を表わすフローチャートである。他の局面において、当該処理は、各処理を実行するように構成された回路素子の組み合わせによっても実現され得る。
【００６５】
ステップＳ９１０にて、ＣＰＵ２１１は、チルト角検出部３２０からの出力に基づいて、操作パネル装置１０１のチルト位置に変更があったか否かを判断する。ＣＰＵ２１１は、チルト位置に変更があったと判断すると（ステップＳ９１０にてＹＥＳ）、制御をステップＳ９２０に切り替える。そうでない場合には（ステップＳ９１０にてＮＯ）、ＣＰＵ２１１は、処理を終了する。
【００６６】
ステップＳ９２０にて、ＣＰＵ２１１は、チルト位置センサー（チルト角検出部３２０）の出力に基づいて、操作パネル装置１０１のチルト角を把握（検出）する。
【００６７】
ステップＳ９３０にて、ＣＰＵ２１１は、チルト角に応じて操作パネル装置１０１の画面の表示を変更する。
【００６８】
［画面の表示態様の補正］
図１０および図１１を参照して、チルト可能な操作パネル装置１０１における画面の表示態様の補正について説明する。図１０は、ＲＯＭ２１２におけるデータの格納の一態様を概念的に表わす図である。ある局面において、当該データは、操作パネル装置１０１に表示される画面の表示態様を規定するデータとして画像形成装置１００の製造者によって予め規定されている。他の局面において、当該データは、画像形成装置１００の管理者またはユーザーによって変更可能とされてもよい。図１１は、操作パネル装置１０１のチルトの状態に応じて表示される画像の位置態様を表わす図である。
【００６９】
図１０に示されるように、ある局面において、ＲＯＭ２１２は、チルト位置センサーにより検出された角度に応じて第２操作画面（領域６２０）における表示を規定するデータを保持している。チルト位置センサーは、検出角度としてデジタル値およびアナログ値のいずれでも出力し得る。
【００７０】
より具体的には、ＲＯＭ２１２は、傾き正確度、接点左、および接点右という項目を保持している。傾き補正角度は、操作パネル装置１０１のチルト角に応じて補正される角度を表わす。項目「接点左」および「接点右」は、操作パネル装置１０１の表示領域と、表示される画像との位置を規定する。
【００７１】
例えば、設定１０１０は、チルト位置センサーの値が「００」の場合を規定している。この場合、操作パネル装置１０１はチルトされておらず、したがって、「傾き補正角度」は「回転無」として規定される。項目「接点左」および「接点右」については、具体的には規定されない。したがって、この場合は、図１１の状態（Ａ）に示されるように、操作パネル装置１０１の矩形の領域６２０と、領域６２０に表示される画像とは、通常の態様（すなわち、チルト角＝０度）で表示される。
【００７２】
図１０を再び参照して、設定１０２０は、チルト位置センサーの出力が「０１」の場合を規定している。この場合、例えば、傾き補正角度は「左１０°回転」である。これは、画像が左回り（＝反時計回り）に１０度回転して表示されることを表わす。項目「接点左」は、「パネル左辺⇔画像左角」と規定されている。これは、操作パネル装置１０１の矩形領域の左辺に、画像の左頂点が接することを表わしている。また、項目「接点右」は、「パネル右辺⇔画像上辺」と規定されている。これは、操作パネル装置１０１の矩形領域の右辺に、画像の上辺が接することを表わしている。
【００７３】
すなわち、図１１の状態（Ｂ）に示されるように、この場合、画像の姿勢は、領域６２０に対して角度１１１０だけ補正されている。この場合、角度１１１０の値は１０度となる。点１１２０において、領域６２０に表示される画像の左上の角部と、領域６２０とは、接している。また、点１１３０において、領域６２０と当該画像の上辺とが接している。
【００７４】
図１０を再び参照して、設定１０３０は、チルト位置センサーの出力が「１０」の場合を規定している。この場合、例えば、傾き補正角度は「左２０°回転」である。これは、画像が左回り（＝反時計回り）に２０度回転して表示されることを表わす。項目「接点左」は、「パネル左辺⇔画像左角」と規定されている。項目「接点右」は、「パネル右辺⇔画像上辺」と規定されている。これらは、設定１０２０の場合の内容と同じであるので、詳細な説明は繰り返さない。
【００７５】
［制御構造］
図１２を参照して、画像形成装置１００の制御構造について説明する。図１２は、画像形成装置１００のＣＰＵ２１１が実行する処理の一部を表わすフローチャートである。なお、前述の処理と同じ処理には、同じステップ番号を付してある。したがって、同じ処理の説明は繰り返さない。
【００７６】
ステップＳ１２２０にて、ＣＰＵ２１１は、ＲＯＭ２１２から補正テーブル（図１０）のデータを読み込む。
【００７７】
ステップＳ１２３０にて、ＣＰＵ２１１は、操作パネル装置１０１を折り曲げることにより形成された領域６２０に表示される画像の向きを、当該補正テーブルに規定されているデータに基づいて補正し、補正後の画像を操作パネル装置１０１の領域６２０に表示させる。
【００７８】
［チルト角検出機構の他の局面］
図１３を参照して、チルト角検出機構の他の局面について説明する。チルト角検出機構は、リニアなチルト角を検出してもよい。この場合、画面の補正は、検出されたチルト角の範囲ごとに規定され得る。図１３は、他の局面に従うＲＯＭ２１２におけるデータの格納の一態様を概念的に表わす図である。ある局面において、当該データは、操作パネル装置１０１に表示される画面の表示態様を規定するデータとして画像形成装置１００の製造者によって予め規定されている。他の局面において、当該データは、画像形成装置１００の管理者またはユーザーによって変更可能とされてもよい。
【００７９】
図１０に示されるように、ある局面において、ＲＯＭ２１２は、チルト位置センサーの角度に応じて第２操作画面（領域６２０）における表示を規定するデータを保持している。より具体的には、ＲＯＭ２１２は、傾き正確度、接点左、および接点右という項目を保持している。傾き補正角度は、操作パネル装置１０１のチルト角に応じて補正される角度を表わす。項目「接点左」および「接点右」は、操作パネル装置１０１の表示領域と、表示される画像との位置を規定する。
【００８０】
例えば、設定１３１０は、操作パネル装置１０１のチルト角が０度から１０度未満の場合を規定している。設定１３２０は、操作パネル装置１０１のチルト角が１０度から２０度未満の場合を規定している。設定１３３０は、操作パネル装置１０１のチルト角が２０度から３０度未満の場合を規定している。規定の内容は、図１０に示される内容と同じである。このようにすると、チルト角検出部３２０が操作パネル装置１０１のチルト角を連続的に検出できる場合に、操作パネル装置１０１に表示される画面の無機を調整できる。
【００８１】
［画像のサイズ調整］
図１４および図１５を参照して、さらに他の局面について説明する。図１４は、さらに他の局面に従う画像形成装置１００のＲＯＭ２１２におけるデータの格納の一態様を概念的に表わす図である。図１５は、さらに他の局面において操作パネル装置１０１に表示される画像の一態様を表わす図である。
【００８２】
操作パネル装置１０１がチルトされて領域６２０に表示される画像の傾きが調整されると、図１１の状態（Ｂ）に示されるように、同じサイズのままでは、調整後の画像は領域６２０に収まらない可能性がある。そこで、調整後の画像が領域６２０に収まるように、画像の大きさが縮小されてもよい。
【００８３】
より具体的には、図１４の項目「縮小倍率」として規定されるように、操作パネル装置１０１のチルト角度に応じて、領域６２０に表示される画像の大きさが、当該縮小倍率に従って縮小される。
【００８４】
すなわち、図１５の状態（Ａ）に示されるように、チルト角が０度の場合は、領域６２０には、通常時の大きさの画像が表示される。その後、操作パネル装置１０１がチルトされると、画像１５１０は、傾いた領域６２０に収まるように表示される。この場合、領域６２０と画像１５１０とは、点１５２０，１５３０で接することになる。
【００８５】
［縮小倍率の制限］
図１６および図１７を参照して、さらに他の局面について説明する。図１６は、さらに他の局面に従う画像形成装置１００のＲＯＭ２１２におけるデータの格納の一態様を概念的に表わす図である。さらに他の局面では、操作パネル装置１０１に表示される画像が縮小される倍率には制限が設けられる。したがって、縮小して表示される場合の視認性が低下することが抑制される。図１７は、領域６２０に表示される画像の場所が可変であることを表わす図である。
【００８６】
より具体的には、図１６に示されるように、ＲＯＭ２１２は、項目「縮小倍率」をさらに保持している。この項目は、領域６２０に表示される画像の縮小の限界を規定する。図１６に示される例では、画像の大きさは、当初の大きさの８５％まで縮小され得る。したがって、８４％以下の大きさには縮小されないことになる。なお、図１６に示される数値は例示であり、縮小倍率の値は図１６に示される数値に限られない。当該縮小倍率は、操作パネル装置１０１の大きさ、特に、領域６２０の大きさと表示される画像の大きさとの関係に応じて規定され得る。
【００８７】
なお、この場合、縮小倍率の制限により領域６２０に画像全体が表示されない場合も生じ得る。そこで、この場合、操作パネル装置１０１の領域６２０にタッチしてドラッグ操作を行なうことにより、表示される画像の場所を変更できてもよい。
【００８８】
例えば、図１７の状態（Ａ）は、領域６２０が正常位置（チルトなし）の場合の表示態様を表わす。その後、操作パネル装置１０１がチルトされると、例えば状態（Ｂ）に示されるように、画像１７００は、傾きを変えることなく傾いた領域６２０に表示される。この場合、画像１７００は、領域６２０に対して角度１７１０だけ左に（反時計回り）に回転していることになり、点１７２０，１７３０において領域６２０と接している。状態（Ｂ）から明らかなように、画像は、領域６２０に収まっておらず、画像の右あるいは下の部分は表示されていない。そこで、ユーザーは、領域６２０をタッチしてドラッグ操作を行なうことにより画像の場所を移動することができる。一例として、ユーザーが画像の左下の部分を表示させたいとき、当該画像を上に移動させるように操作パネル装置１０１のタッチ操作領域をなぞればよい。この場合、状態（Ｃ）に示されるように、画像１７４０が表示され、領域６２０に当初表示されていた画像の左下の部分画像が表示されることになる。
【００８９】
また、画像１７００の右を表示したい場合には、ユーザーは、画像１７００を左方向にドラッグ操作することで、状態（Ｄ）に示されるように、操作パネル装置１０１は、領域６２０に表示されていた画像の右の部分として画像１７５０を表示することができる。
【００９０】
［縦横比の変更］
図１８および図１９を参照して、さらに他の局面について説明する。さらに他の局面に従う画像形成装置１００は、操作パネル装置１０１に表示される画像の縦横比をチルト角に応じて変更できる。図１８は、ＲＯＭ２１２におけるデータの格納の一態様を概念的に表わす図である。図１９は、操作パネル装置１０１における画面の表示態様の変更の一例を表わす図である。
【００９１】
ＲＯＭ２１２は、設定１８１０と設定１８２０とを格納している。設定１８１０は、操作パネル装置１０１の角度が０度から４０度の範囲内でチルトされた場合には、第２操作画面（領域６２０）の傾きは補正されず、そのまま表示されることを規定している。設定１８２０は、操作パネル装置１０１の角度が８０度までチルトされた場合に（実質的には、４１度から８０度まで）画面の縦横が変更されることを規定している。
【００９２】
より具体的には、図１９の状態（Ａ）として示されるように、操作パネル装置１０１のチルト角が４０度までの場合には、領域６２０は、通常の態様で画面を表示する。この場合、領域６２０に表示される画像の上辺が領域６２０の長辺に対応するように、当該画像は領域６２０に表示される。
【００９３】
その後、操作パネル装置１０１のチルト角が４０度を超えて８０度まで傾けられると、領域６２０の矩形計上に応じて、表示される画像のレイアウトが変更される。すなわち、状態（Ｂ）に示されるように、領域６２０の短辺が画像１９２０の上辺となるように、縦横が変更される。このようにすると、操作パネル装置１０１の傾きが大きくなった場合には画像の縦横が変更されて表示されるので、ユーザーは、その立ち位置に応じて、領域６２０に表示される画像を容易に視認することができる。
【００９４】
図２０を参照して、さらに他の局面について説明する。図２０は、ある実施の形態に従う操作パネル装置１０１が縦横を変更した状態で画像を表示する一例を表わす図である。
【００９５】
前述の図１８の設定の場合、縦横を変更すると、図１９に示されるように、領域６２０には全ての画像が表示されなくなる。そこで、さらに他の局面に従う画像形成装置１００は、縦横の変更の際に、領域６２０に表示される画像の欠損が無くなるように、領域６２０に画像を表示する。
【００９６】
より詳しくは、状態（Ａ）に示されるように、領域６２０は、所定の画像を表示している。その後、操作パネル装置１０１が所定のチルト角以上に傾けられると、状態（Ｂ）に示されるように、領域６２０は、画像２０１０を表示する。画像２０１０は、状態（Ａ）に示される画像と同じ内容を表示するが、状態（Ｂ）の場合の大きさは、状態（Ａ）の場合の大きさよりも小さくなる。
【００９７】
この場合、領域６２０に表示される画像については、縦横が変更されて表示できるように、当該画像は、予め２つのサブ画像に変更されている。状態（Ａ）に示される例では、「故障修理方法」を記述した部分としてのサブ画像と、「図１」を表示するためのサブ画像とが予め別個に規定されている。その上で、領域６２０の縦横を変更することにより生じる２つの表示領域の各々に、各サブ画像が表示される。「図１」のサブ画像の場合、縦横の変更後の表示領域の縦横比と、当該サブ画像の縦横比とに基づき、当該サブ画像は、当該表示領域に収まるように、縮小されて表示され得る。
【００９８】
［人の存在に応じて画像の表示を切りかえ］
図２１および図２２を参照して、さらに他の局面について説明する。さらに他の局面に従う画像形成装置２１００は、その近傍に人が居ない場合には、操作パネル装置１０１が傾けられていても表示態様を変更しない。図２１は、さらに他の局面に従う画像形成装置２１００の構成の概要を表わす図である。なお、画像形成装置２１００のハードウェア構成は、図２１に示される構成以外は、画像形成装置１００が備えるハードウェア構成と同じハードウェア構成を用いて実現される。したがって、同じハードウェア構成の説明は、繰り返さない。
【００９９】
図２１の状態（Ａ）に示されるように、画像形成装置２１００は、画像形成装置１００が備える構成に加えて、人感センサー２１１０をさらに備える。人感センサー２１１０は、例えば赤外線センサーによって実現される。人感センサー２１１０は、例えば、操作パネル装置１０１の近傍（例えば、数ｃｍ〜１ｍ以内等）において人の存在を検知できるように配置されている。本実施の形態において、近傍とは、画像形成装置２１００または操作パネル装置１０１に対する操作が可能な程度に近接していることをいう。
【０１００】
状態（Ｂ）に示されるように、操作パネル装置１０１が傾けられたとき、画像形成装置２１００は、人感センサー２１１０による検知の結果に応じて、領域６２０に表示される画像をそのままの状態で又は傾けた状態で表示し得る。
【０１０１】
図２２は、画像形成装置２１００が実行する処理の一部を表わすフローチャートである。なお、前述の処理と同じ処理には同一のステップ番号を付してある。したがって、同じ処理の説明は繰り返さない。
【０１０２】
ステップＳ２２２０にて、画像形成装置２１００のＣＰＵ２１１は、人感センサー２１１０からの出力に基づいて、第２操作画面（領域６２０）の前に人体（ユーザー）を検出したか否かを判断する。ＣＰＵ２１１は、人体を検出したと判断すると（ステップＳ２２２０にてＹＥＳ）、制御をステップＳ９２０に切り替える。ＣＰＵ２１１は、操作パネル装置１０１のチルト位置を検出する（ステップＳ９２０）。そうでない場合には（ステップＳ２２２０にてＮＯ）、ＣＰＵ２１１は処理を終了する。
【０１０３】
以上のようにして、画像形成装置２１００は、操作パネル装置１０１の付近に人が居ない場合には操作パネル装置１０１が傾けられていても、画像の傾きを変更しない。この場合、画像形成装置２１００を操作するユーザーが居ないことになるので、画像の傾きが変更されなくても視認性などに特段の不都合は生じない。他方、操作パネル装置１０１の付近に人が居る場合には、画像形成装置２１００は、操作パネル装置１０１の領域６２０に表示される画像の傾きを調整する。したがって、画像形成装置２１００のユーザーによる視認性が向上し得る。
【０１０４】
［インストラクション線の表示］
図２３および図２４を参照して、さらに他の局面について説明する。さらに他の局面に従う画像形成装置は、操作パネル装置１０１がチルトされている場合でも領域６２０に表示される画像の傾きを敢えて変更しない。むしろ、当該画像形成装置は、操作パネル装置１０１の折り曲げ位置を示唆する線（以下「インストラクション線」ともいう。）を表示する点で、他の局面に従う画像形成装置と異なる。
【０１０５】
図２３は、操作パネル装置１０１が折り曲げられている場合において領域６２０における画像の表示態様を表わす図である。図２４は、さらに他の局面に従う画像形成装置１００が実行する処理の一部を表わすフローチャートである。なお、前述の処理と同じ処理には同一のステップ番号を付してある。したがって、同じ処理の説明は繰り返さない。
【０１０６】
図２３の状態（Ａ）は、操作パネル装置１０１が折れ線２１３０において折り曲げられており、かつ、チルトされていない状態を表わす。この場合、画像２３００が領域６２０に表示されている。操作パネル装置１０１がチルトされていないので、画像２３００もそのまま表示されている。
【０１０７】
状態（Ｂ）は、操作パネル装置１０１が折れ線２１３０において折り曲げられており、かつ、チルトされている状態を表わす。この場合、状態（Ａ）の場合と同様に、画像２３００は、領域６２０に表示されている。操作パネル装置１０１がチルトされていないので、画像２３００もそのまま表示されている。
【０１０８】
図２４に示されるように、ステップＳ２４１０にて、ＣＰＵ２１１は、操作パネル装置１０１の傾き角度が予め定められた値以上であるか否かを判断する。ＣＰＵ２１１は、当該傾き角度が予め定められた値以上であると判断すると（ステップＳ２４１０にてＹＥＳ）、制御をステップＳ２４２０に切り替える。そうでない場合には（ステップＳ２４１０にてＮＯ）、ＣＰＵ２１１は、制御をステップＳ１２２０に切り替える。
【０１０９】
ステップＳ２４２０にて、ＣＰＵ２１１は、操作パネル装置１０１の表示領域に、インストラクション線２３１０，２３２０を表示する。このとき、インストラクション線２３１０の表示態様（例えば、実線、破線、色つきなど）は、インストラクション線２３２０の表示態様とは異なってもよい。その後、ＣＰＵ２１１は、処理を終了する。
【０１１０】
以上のようにして、ある実施の形態に従うの形態に従うと、操作パネル装置１０１は、第２表示領域の画像を傾けることなく表示する。その上で、操作パネル装置１０１は、インストラクション線を表示するので、ユーザーは、どこで操作パネル装置１０１を折り曲げるべきかを容易に認識することができる。
【０１１１】
［画面の表示態様］
図２５〜図２９を参照して、各画面の各々の操作画面（領域６１０，６２０）における画面の表示態様について説明する。図２５は、ＲＯＭ２１２における設定内容の格納の一態様を概念的に表わす図である。図２６〜図２９は、それぞれ、操作パネル装置１０１に表示される画面の一例を表わす図である。
【０１１２】
［表示態様の設定］
図２５に示されるように、ＲＯＭ２１２は、テーブル２５００を保持する。テーブル２５００は、項目２５１０、２５２０、２５２０，２５３０を含む。項目２５１０は、操作パネル装置１０１に当初表示される元画面の内容を規定する。項目２５２０は、操作パネル装置１０１のチルト角度を規定する。項目２５３０は、第１操作画面（領域６１０）に表示される画面の内容を規定する。項目２５４０は、第２操作画面（領域６２０）に表示される画面の内容を規定する。
【０１１３】
＜初期画面＞
図２６は、操作パネル装置１０１が初期画面を表示している場合の画面の推移を表わす図である。
【０１１４】
［チルトなし］  例えば、元画面として「初期画面」が表示されている場合において（項目２５１０）、チルト角度が「水平折り曲げ無し」であるとき、すなわち、操作パネル装置１０１がチルトされておらず、かつ、折り曲げられていないとき、第１操作画面および第２操作画面は、１つの画面として初期画面を表示する。このときの画面は、例えば、図２６の状態（Ａ）として表示される。状態（Ａ）から明らかなように、操作パネル装置１０１は、画面２６１０および画面２６２０を一体として初期画面の全体を表示する。
【０１１５】
［チルト角度３０度］  また、元画面として「初期画面」が表示されている場合において（項目２５１０）、チルト角度が３０度である場合、第１操作画面（領域６１０）には、第１ユーザーの画面が表示される（項目２５３０）。第２操作画面（領域６２０）には、第２ユーザーの画面が表示される（項目２５４０）。より具体的には、図２６の状態（Ｂ）に示されるように、操作パネル装置１０１は、画面２６１１を領域６１０に表示し、画面２６２１を領域６２０に表示する。画面２６２１に示される例では、操作パネル装置１０１は折り曲げられているが、画面の傾きは調整されていない。
【０１１６】
［チルト角度９０度］  さらに、操作パネル装置１０１のチルト角度が９０度である場合、図２６の状態（Ｃ）に示されるように、操作パネル装置１０１は、画面２６１２を領域６１０に表示し、画面２６２２を領域６２０に表示する。画面２６２２に示される例では、操作パネル装置１０１が９０度チルトされて画面が折り曲げられることにより、視認性の観点から、領域６２０の短辺（すなわち折り曲げられた部分）が上部となるように、画面２６２２（例えば、手差し用紙セットのヘルプ画面）が表示される。画像は左回り（反時計回り）方向に回転して表示される。これにより、画面２６２２を見ているユーザーに対する視認性の低下が抑制され得る。
【０１１７】
＜ジャム全画面表示＞
図２７は、操作パネル装置１０１がジャム全画面表示である場合の画面の推移を表わす図である。
【０１１８】
［チルトなし］  他の局面において、元画面が「ジャム全画面表示」である場合において（項目２５１０）、チルト角度が「水平折り曲げ無し」であるとき、すなわち、操作パネル装置１０１がチルトされておらず、かつ、折り曲げられていないとき、第１操作画面および第２操作画面は、１つの画面として初期画面を表示する。このときの画面は、例えば、図２７の状態（Ａ）として表示される。状態（Ａ）から明らかなように、操作パネル装置１０１は、画面２７１０および画面２７２０を一体として初期画面の全体を表示する。
【０１１９】
［チルト角度３０度］  その後、操作パネル装置１０１のチルト角度が３０度になると、第１操作画面（領域６１０）には、ジャム全画面表示の簡略版が表示される（項目２５３０）。第２操作画面（領域６２０）には、トラブル全画面表示の縮小版（８０％）が表示される（項目２５４０）。より具体的には、状態（Ｂ）に示されるように、操作パネル装置１０１は、画面２７１１を領域６１０に表示し、画面２７２１を領域６２０に表示する。画面２７２１の例では、操作パネル装置１０１の傾きに応じて、画面２７２１の傾きは調整されている。そして、ＲＯＭ２１２の設定に従って、画面２７２１は、状態Ａで示される全画面の縮小版として表示されている。
【０１２０】
［チルト角度９０度］  さらに、操作パネル装置１０１のチルト角度が９０度である場合、状態（Ｃ）に示されるように、操作パネル装置１０１は、画面２７１１を領域６１０に表示したまま、画面２７２２を領域６２０に表示する。画面２７２２に示される例では、操作パネル装置１０１が９０度チルトされて画面が折り曲げられることにより、視認性の観点から、領域６２０の短辺（すなわち折り曲げられた部分）が上部となるように、画面２７２２（例えば、右側面ジャム処理セットヘルプ画面）が表示される。画像は左回り（反時計回り）方向に回転して表示される。これにより、画面２７２２を見ているユーザーに対する視認性の低下が抑制され得る。
【０１２１】
＜トラブル全画面表示＞
図２８は、操作パネル装置１０１がトラブル全画面表示である場合の画面の推移を表わす図である。
【０１２２】
［チルトなし］  他の局面において、元画面が「トラブル全画面表示」である場合において（項目２５１０）、チルト角度が「水平折り曲げ無し」であるとき、すなわち、操作パネル装置１０１がチルトされておらず、かつ、折り曲げられていないとき、第１操作画面および第２操作画面は、１つの画面として初期画面を表示する。このときの画面は、例えば、図２８の状態（Ａ）として表示される。状態（Ａ）から明らかなように、操作パネル装置１０１は、画面２８１０および画面２８２０を一体として初期画面の全体を表示する。
【０１２３】
［チルト角度３０度］  その後、操作パネル装置１０１のチルト角度が３０度になると、第１操作画面（領域６１０）には、トラブル全画面表示の簡略版が表示される（項目２５３０）。第２操作画面（領域６２０）には、トラブル全画面表示の縮小版（８０％）が表示される（項目２５４０）。より具体的には、状態（Ｂ）に示されるように、操作パネル装置１０１は、画面２８１１を領域６１０に表示し、画面２８２１を領域６２０に表示する。画面２８２１に示される例では、操作パネル装置１０１の傾きに応じて、画面２８２１の傾きは調整されている。そして、ＲＯＭ２１２の設定に従って、画面２８２１は、状態Ａで示される全画面の縮小版として表示されている。
【０１２４】
［チルト角度９０度］  さらに、操作パネル装置１０１のチルト角度が９０度である場合、状態（Ｃ）に示されるように、操作パネル装置１０１は、画面２８１１を領域６１０に表示したまま、画面２８２２を領域６２０に表示する。画面２８２２の例では、操作パネル装置１０１が９０度チルトされて画面が折り曲げられることにより、視認性の観点から、領域６２０の短辺（すなわち折り曲げられた部分）が上部となるように、画面２８２２（例えば、トラブル全画面表示の縮小版（５０％））が表示される。画像は左回り（反時計回り）方向に９０度回転して表示される。これにより、画面２８２２を見ているユーザーに対する視認性の低下が抑制され得る。
【０１２５】
＜サービス全画面表示＞
図２９は、操作パネル装置１０１がサービスの全画面を表示している場合の画面の推移を表わす図である。
【０１２６】
［チルトなし］  他の局面において、元画面が「サービス全画面表示」である場合において（項目２５１０）、チルト角度が「水平折り曲げ無し」であるとき、すなわち、操作パネル装置１０１がチルトされておらず、かつ、折り曲げられていないとき、第１操作画面および第２操作画面は、１つの画面として初期画面を表示する。このときの画面は、例えば、状態（Ａ）として表示される。状態（Ａ）から明らかなように、操作パネル装置１０１は、画面２９１０および画面２９２０を一体として画面の全体を表示する。
【０１２７】
［チルト角度３０度］  その後、操作パネル装置１０１のチルト角度が３０度になると、第１操作画面（領域６１０）には、サービス全画面表示の簡略版が表示される（項目２５３０）。第２操作画面（領域６２０）には、サービス全画面表示の縮小版（８０％）の画面が表示される（項目２５４０）。より具体的には、状態（Ｂ）に示されるように、操作パネル装置１０１は、画面２９１１を領域６１０に表示し、画面２９２１を領域６２０に表示する。画面２９２１に示される例では、操作パネル装置１０１の傾きに応じて、画面２９２１の傾きは調整されている。そして、ＲＯＭ２１２の設定に従って、画面２９２１は、状態Ａで示される全画面の縮小版として表示されている。
【０１２８】
［チルト角度９０度］  さらに、操作パネル装置１０１のチルト角度が９０度である場合、状態（Ｃ）に示されるように、操作パネル装置１０１は、画面２９１１を領域６１０に表示したまま、画面２９２２を領域６２０に表示する。画面２９２２に示される例では、操作パネル装置１０１が９０度チルトされて画面が折り曲げられることにより、視認性の観点から、領域６２０の短辺が上部となるように、画面２９２２（例えば、右側面転写ユニット交換ヘルプ画面）が表示される。画像は左回り（反時計回り）方向に９０度回転して表示される。これにより、画面２９２２を見ているユーザーに対する視認性の低下が抑制され得る。
【０１２９】
図３０を参照して、画像形成装置１００の制御構造について説明する。図３０は、ある局面に従う画像形成装置１００のＣＰＵ２１１が実行する処理の一部を表わすフローチャートである。なお、前述処理と同じ処理には同じステップ番号を付してある。したがって、同じ処理の詳細な説明は繰り返さない。
【０１３０】
ステップＳ９１０にて、ＣＰＵ２１１は、チルト角検出部３２０からの出力に基づいて、操作パネル装置１０１のチルト位置に変更があったか否かを判断する。ＣＰＵ２１１は、チルト位置に変更があったと判断すると（ステップＳ９１０にてＹＥＳ）、制御をステップＳ２２２０に切り替える。そうでない場合には（ステップＳ９１０にてＮＯ）、ＣＰＵ２１１は、処理を終了する。
【０１３１】
ステップＳ２２２０にて、ＣＰＵ２１１は、第２操作画面（領域６２０）の前に人体を検出したか否かを判断する。ＣＰＵ２１１は、人体を検出したと判断すると（ステップＳ２２２０にてＹＥＳ）、制御をステップＳ９２０に切り替える。そうでない場合には（ステップＳ２２２０にてＮＯ）、ＣＰＵ２１１は処理を終了する。
【０１３２】
ステップＳ９２０にて、ＣＰＵ２１１は、チルト角検出部３２０の出力に基づいて、操作パネル装置１０１のチルト角を把握（検出）する。
【０１３３】
ステップＳ２４１０にて、ＣＰＵ２１１は、操作パネル装置１０１の傾き角度が予め定められた値以上であるか否かを判断する。ＣＰＵ２１１は、当該傾き角度が予め定められた値以上であると判断すると（ステップＳ２４１０にてＹＥＳ）、制御をステップＳ２４２０に切り替える。そうでない場合には（ステップＳ２４１０にてＮＯ）、ＣＰＵ２１１は、処理をステップＳ１２２０に切り替える。
【０１３４】
ステップＳ２４２０にて、ＣＰＵ２１１は、操作パネル装置１０１の表示領域に、インストラクション線２３１０，２３２０を表示する。
【０１３５】
ステップＳ１２２０にて、ＣＰＵ２１１は、ＲＯＭ２１２から補正テーブル（図１０）のデータを読み込む。
【０１３６】
ステップＳ１２３０にて、ＣＰＵ２１１は、操作パネル装置１０１を折り曲げることにより形成された領域６２０に表示される画像の向きを、当該補正テーブルに規定されているデータに基づいて補正し、補正後の画像を操作パネル装置１０１の領域６２０に表示させる。
【０１３７】
以上のようにして、ある実施の形態に従う画像形成装置は、操作パネル装置１０１ガチるとされている場合において折り曲げられているとき、第１表示領域（領域６１０）および第２表示領域（領域６２０）における画像の表示態様を変更する。例えば、画像形成装置は、領域６２０に表示される画像を傾けて表示する。このようにすると、操作パネル装置１０１が折り曲げられた場合においても、領域６２０に表示される画像は殆ど傾くことなく表示され得る。したがって、領域６２０を視認するユーザーは、当該画像の内容を容易に把握し易くなる。
【０１３８】
開示された技術的特徴は、次のように要約され得る。
（１）ある実施の形態に従う画像形成装置１００は、第１表示領域（例えば領域６１０）と第２表示領域（例えば領域６２０）とに折り曲げ可能な表示面を有する操作パネル装置１０１と、画像形成装置１００に対する操作パネル装置１０１の角度を変更するチルト機構３１０と、角度を検出するチルト角検出部３２０と、表示面における表示内容を変更するＣＰＵ２１１とを備える。ＣＰＵ２１１は、表示面が折り曲げられた操作パネル装置１０１の画像形成装置１００に対する傾きに応じて、第２表示領域に表示される画像を傾けて表示する。係る構成により、操作パネル装置１０１が折り曲げられた状態でチルトされていても、領域６２０に表示される画像の視認性は維持され得る。
【０１３９】
（２）ある局面に従うと、画像形成装置１００は、角度と、当該角度に応じて定められる画像の傾きとを規定する設定情報を格納するための記憶部３４０をさらに備える。操作パネル装置１０１は、第１表示領域が画像形成装置１００の正面を向くように画像形成装置１００に取り付けられている。折り曲げられた操作パネル装置１０１の角度が変更されることにより第２表示領域が画像形成装置１００の正面を向かなくなると、ＣＰＵ２１１は、設定情報に基づいて、第２表示領域に示される画像の傾きを補正する。係る構成により、設定情報に応じて操作パネル装置１０１の領域６２０に表示される画像の傾きが調整できるので、操作パネル装置１０１の大きさ（すなわち領域６２０）の大きさと、領域６２０に表示され得る画像の大きさとに応じて、画像の傾きの程度を自在に設定することができる。
【０１４０】
（３）ある局面に従うと、チルト角検出部３２０は、線形に傾斜を検出するセンサーを含む。第２表示領域に画像を傾けて表示することは、センサーの出力信号に応じて規定される角度に応じて、当該画像を傾けて表示することを含む。係る構成により、画像の傾きをリニアーに調整することができるので、視認性を微調整することができる。
【０１４１】
（４）ある局面に従うと、画像を傾けて表示することは、規定された倍率に応じて画像の大きさを変更（例えば、縮小）することをさらに含む。係る構成により、領域６２０は縮小された画像全体を表示できるので、操作パネル装置１０１がチルトされている場合でも、ユーザーは表示内容を把握することができる。
【０１４２】
（５）ある局面に従うと、画像の大きさを変更することは、予め規定された縮小倍率を超えない範囲で画像の大きさを縮小することを含む。係る構成により、一定の大きさ以下には縮小されなくなるので、画像の視認性の低下が抑制され得る。
【０１４３】
（６）ある局面に従うと、ＣＰＵ２１１は、第２表示領域に対する画面スクロール操作に応じて、画像を移動して第２表示領域に表示する。係る構成により、領域６２０に表示されない部分も画面スクロール操作に応じて表示され得る。
【０１４４】
（７）ある局面に従うと、ＣＰＵ２１１は、操作パネル装置１０１の角度が予め規定された角度を超えたことに基づいて、第２表示領域において左右に表示される各画像の配列を上下に切り替えて表示する。係る構成により、チルトされた操作パネル装置１０１の領域６２０の傾きに応じて画像を表示できるので、ユーザーによる表示内容の把握をアシストすることができる。
【０１４５】
（８）ある局面に従うと、切り替えて表示することは、各画像を縮小して表示することを含む。係る構成により、画像の配列が左右から上下に切り替えられても、全体が表示されるので、内容を把握し易くなる。
【０１４６】
（９）ある局面に従うと、画像形成装置１００は、人感センサー２１１０をさらに備える。画像を傾けて表示することは、操作パネル装置１０１の近傍にユーザーがいる場合に画像を傾けて表示することと、操作パネル装置１０１の近傍にユーザーがいない場合に、画像を傾けずに表示することとを含む。係る構成により、ユーザーが画像形成装置１００の近傍に居る場合に領域６２０の表示態様が切り替えられるので、不要な切換が防止され得る。
【０１４７】
（１０）ある局面に従うと、ＣＰＵ２１１は、第１表示領域と第２表示領域との境界を示す線（以下、インストラクション線ともいう。）を操作パネル装置１０１に表示し、操作パネル装置１０１の角度が予め規定された角度を超えた場合に、線の位置を変更する。係る構成により、ユーザーは、どこで操作パネル装置１０１を折り曲げるのがよいかを容易に知ることができる。
【０１４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１４９】
開示された技術思想は、折り曲げ可能な操作パネルを備える機器、例えば、画像形成装置に適用可能である。
【符号の説明】
【０１５０】
１００，２１００  画像形成装置、１０１  操作パネル装置、１０２  スキャナー部、１０４  フィーダ、１０６  プリントエンジン、１０８  トレー、１０９  給紙部、２１０，２１７  制御部、２１２  ＲＯＭ、２１３，２１４  ＲＡＭ、２１６  パネル制御部、２２０  画像読取装置、２３０  固定記憶装置、２５０  画像出力装置、２６０  プリンターコントローラー、３００  操作部、３１０  チルト機構、３２０  チルト角検出部、３３１  倍率変更、３３２  傾き修正、３３３  縦横変更、３４０  記憶部、６１０，６２０  領域、６４０  画像、１０１０，１０２０，１０３０，１３１０，１３２０，１３３０，１８１０，１８２０  設定、１１１０，１７１０  角度、１１２０，１１３０，１５２０，１５３０，１７２０，１７３０  点、１５１０，１７００，１７４０，１７５０，１９２０，２０１０，２３００  画像、２１１０  人感センサー、２１３０  折れ線、２３１０，２３２０  インストラクション線、２５００  テーブル。
【図１】
2020205572.tif 000003
【図２】
2020205572.tif 000004
【図３】
2020205572.tif 000005
【図４】
2020205572.tif 000006
【図５】
2020205572.tif 000007
【図６】
2020205572.tif 000008
【図７】
2020205572.tif 000009
【図８】
2020205572.tif 000010
【図９】
2020205572.tif 000011
【図１０】
2020205572.tif 000012
【図１１】
2020205572.tif 000013
【図１２】
2020205572.tif 000014
【図１３】
2020205572.tif 000015
【図１４】
2020205572.tif 000016
【図１５】
2020205572.tif 000017
【図１６】
2020205572.tif 000018
【図１７】
2020205572.tif 000019
【図１８】
2020205572.tif 000020
【図１９】
2020205572.tif 000021
【図２０】
2020205572.tif 000022
【図２１】
2020205572.tif 000023
【図２２】
2020205572.tif 000024
【図２３】
2020205572.tif 000025
【図２４】
2020205572.tif 000026
【図２５】
2020205572.tif 000027
【図２６】
2020205572.tif 000028
【図２７】
2020205572.tif 000029
【図２８】
2020205572.tif 000030
【図２９】
2020205572.tif 000031
【図３０】
2020205572.tif 000032